(57)【要約】【課題】情報提供装置から車載端末に提供されたサービス情報を可搬型端末で利用することが可能な、車載端末装置、可搬型端末装置、情報提供装置を提供する。【解決手段】狭域通信方式を用いて通信を行う第１通信手段と、前記第１通信手段を介して接続される情報提供装置から、所定の情報を取得する情報取得手段と、前記第１通信手段とは異なる通信方式を用いて通信を行う第２通信手段と、前記第２通信手段を介して接続される外部装置に、前記情報取得手段が取得した前記情報を提供する提供手段と、を備える。【選択図】図１
2013171318.tif 000002
【特許請求の範囲】
【請求項１】
狭域通信方式を用いて通信を行う第１通信手段と、
前記第１通信手段を介して接続される情報提供装置から、所定の情報を取得する情報取得手段と、
前記第１通信手段とは異なる通信方式を用いて通信を行う第２通信手段と、
前記第２通信手段を介して接続される外部装置に、前記情報取得手段が取得した前記情報を提供する提供手段と、
を備える車載端末装置。
【請求項２】
前記第２通信手段に接続した前記外部装置を認証する認証手段を更に備え、
前記提供手段は、前記認証手段で正当性が確認された外部装置に対し、前記情報取得手段が取得した前記情報を提供する請求項１に記載の車載端末装置。
【請求項３】
前記情報取得手段は、前記情報提供装置から、所定のサービスを利用するためのサービス情報を取得し、
前記提供手段は、前記外部装置に前記サービス情報を提供することで、当該サービス情報の利用権を自装置から前記外部装置に移動する請求項１又は２に記載の車載端末装置。
【請求項４】
前記サービス情報の提供先である前記外部装置から、当該サービス情報の利用履歴を、前記第２通信手段を介して取得する利用履歴取得手段と、
前記利用履歴取得手段が取得した前記利用履歴を自装置での利用履歴として、前記第１通信手段を介して前記情報提供装置に通知する利用履歴通知手段と、
を更に備える請求項３に記載の車載端末装置。
【請求項５】
自装置が搭載された車両の走行状況を取得する走行状況取得手段と、
前記走行状況取得手段が取得した前記走行状況を、前記第１通信手段を介して前記情報提供装置に通知する走行状況通知手段と、
を更に備え、
前記情報取得手段は、前記走行状況通知手段が通知した前記走行状況に応じて前記情報提供装置から提供される前記情報を、当該情報提供装置から取得する請求項１〜４の何れか一項に記載の車載端末装置。
【請求項６】
前記第１通信手段を介して、自装置が搭載された車両種別を前記情報提供装置に通知する車両種別通知手段を更に備え、
前記情報取得手段は、前記車両種別通知手段が通知した前記車両種別に応じて前記情報提供装置から提供される前記情報を、当該情報提供装置から取得する請求項１〜５の何れか一項に記載の車載端末装置。
【請求項７】
車両に搭載された車両端末と通信可能な通信手段と、
情報提供装置から前記車両端末に提供された所定の情報を、前記通信手段を介して取得する情報取得手段と、
前記情報取得手段が取得した前記情報の利用履歴を、前記通信手段を介して前記車両端末に通知する利用履歴通知手段と、
を備える可搬型端末装置。
【請求項８】
前記情報取得手段は、前記情報提供装置から前記車両端末に提供された所定のサービスを利用するためのサービス情報の利用権を、当該車両端末から取得し、
前記利用履歴通知手段は、前記サービス情報の利用履歴を前記車両端末に通知する請求項７に記載の可搬型端末装置。
【請求項９】
狭域通信を行う路側機を用いて車載端末装置と通信を行う通信手段と、
前記通信手段を介して前記車載端末装置に所定の情報を提供する情報提供手段と、
前記情報提供手段が提供した前記情報の利用履歴を、前記通信手段を介して取得する利用履歴取得手段と、
前記利用履歴取得手段が取得した利用履歴を、当該利用履歴に係る前記情報の提供先となった前記車載端末装置の識別情報と関連付けて管理する管理手段と、
を備え、
前記情報提供手段は、前記管理手段が管理する前記識別情報毎の利用履歴に基づいて、当該識別情報に対応する前記車載端末装置に提供する情報を選定する情報提供装置。
【請求項１０】
前記情報提供手段は、所定のサービスを利用するためのサービス情報を、前記通信手段を介して前記車載端末装置に提供し、
前記利用履歴取得手段は、前記通信手段を介して前記サービス情報の利用履歴を前記車載端末装置又は当該サービス情報の利用先となる店舗端末装置から取得する請求項９に記載の情報提供装置。
【請求項１１】
前記通信手段を介して、前記車載端末装置が搭載された車両の走行状況を取得する走行状況取得手段と、
前記走行状況取得手段が取得した前記走行状況が、前記情報の提供に係る所定の条件を満たすか否かを判定する判定手段と、
を更に備え、
前記情報提供手段は、前記判定手段が前記条件を満たすと判定した前記走行状況の車両に係る前記車載端末装置に、当該条件に応じた情報を提供する請求項９又は１０に記載の情報提供装置。
【請求項１２】
前記通信手段を介して、前記車載端末装置が搭載された車両の車両種別を取得する車両種別取得手段を更に備え、
前記情報提供手段は、前記車両種別取得手段が取得した前記車両種別に応じて、提供する情報を異ならせる請求項９〜１１の何れか一項に記載の情報提供装置。
【発明の詳細な説明】
【技術分野】
【０００１】
本発明の実施形態は、車載端末装置、可搬型端末装置及び情報提供装置に関する。
【背景技術】
【０００２】
従来、ＤＳＲＣ（Dedicated  Short  Range  Communication）通信等の無線技術を用いて、路側機と車載端末装置との間の双方向通信を行うことが可能なシステムが存在している。係るシステムでは、路側機を通じて車載端末装置毎に異なる情報を提供することが可能となっており、所定のサービスを利用するためのサービス情報等の提供が行われている。また、従来、車載端末装置に記憶された携帯端末等の可搬型端末装置のアドレスを、ＤＳＲＣ通信を介して取得し、このアドレスの可搬型端末装置に広告等の情報を提供する技術が提案されている。
【先行技術文献】
【特許文献】
【０００３】
【特許文献１】特開２００５−２２８１７３号公報
【発明の概要】
【発明が解決しようとする課題】
【０００４】
しかしながら、従来の技術では、情報の提供を行う情報提供装置から、車載端末装置と可搬型端末装置との各々に提供される構成であるため、車載端末装置に提供されたサービス情報を可搬型端末装置で利用することができず、利便性の上で改善の余地があった。また、可搬型端末装置にサービス情報が提供された場合、従来の技術では、そのサービス情報の利用履歴を車載端末装置に反映することができず、サービス情報を提供する情報提供装置と、車載端末装置と、可搬型端末装置との間で協調を図ることが困難であった。
【課題を解決するための手段】
【０００５】
実施の形態の車載端末は、第１通信手段と、情報取得手段と、第２通信手段と、提供手段とを備える。第１通信手段は、狭域通信方式を用いて通信を行う。情報取得手段は、第１通信手段を介して接続される情報提供装置から、所定の情報を取得する。第２通信手段は、第１通信手段とは異なる通信方式を用いて通信を行う。提供手段は、第２通信手段を介して接続される外部装置に、情報取得手段が取得した情報を提供する。
【図面の簡単な説明】
【０００６】
【図１】図１は、実施形態に係る情報提供システムの構成例を示す図である。
【図２】図２は、図１に示した走行状況ＤＢのデータ構成の一例を示す図である。
【図３】図３は、図１に示したサービス情報ＤＢのデータ構成の一例を示す図である。
【図４】図４は、図１に示した利用履歴ＤＢのデータ構成の一例を示す図である。
【図５】図５は、図１に示した情報提供サーバの機能構成の一例を示す図である。
【図６】図６は、図１に示した第１サービス情報記憶部のデータ構成の一例を示す図である。
【図７】図７は、図１に示した第１利用履歴記憶部のデータ構成の一例を示す図である。
【図８】図８は、図１に示した車載端末の機能構成の一例を示す図である。
【図９】図９は、図１に示した第２サービス情報記憶部のデータ構成の一例を示す図である。
【図１０】図１０は、図１に示した可搬型端末の機能構成の一例を示す図である。
【図１１】図１１は、図１に示した店舗端末の機能構成の一例を示す図である。
【図１２】図１２は、サービス情報提供処理の一例を示すフローチャートである。
【図１３】図１３は、サービス情報選定処理の一例を示すフローチャートである。
【図１４】図１４は、利用権移動処理の手順を示すフローチャートである。
【図１５】図１５は、選択画面の一例を示す図である。
【図１６】図１６は、サービス利用処理の一例を示すフローチャートである。
【図１７】図１７は、利用履歴収集処理の一例を示すフローチャートである。
【図１８】図１８は、実施形態に係る情報提供システムの他の構成例を示す図である。
【図１９】図１９は、図１８に示した店舗端末の機能構成の一例を示す図である。
【発明を実施するための形態】
【０００７】
以下に添付図面を参照して、この発明に係る車載端末装置、可搬型端末装置及び情報提供装置の実施形態を詳細に説明する。
【０００８】
図１は、本実施形態に係る情報提供システムの構成例を示す図である。同図に示すように、情報提供システム１は、情報提供サーバ１０と、車載端末２０と、可搬型端末３０と、店舗端末４０とを有する。
【０００９】
情報提供サーバ１０は、インターネットや専用線等のネットワークＮに接続された路側機５０を通じて、車載端末２０との間でＤＳＲＣ（Dedicated  Short  Range  Communication）等の狭域通信を行い、当該車載端末２０に各種の情報を提供（送信）する。また、情報提供サーバ１０は、路側機５０を通じて、車載端末２０から送信される各種の情報を受信する。
【００１０】
情報提供サーバ１０は、図１に示すように、記憶部１１と、入力部１２と、通信部１３と、制御部１４とを備える。
【００１１】
記憶部１１は、ＨＤＤ（Hard  Disk  Drive）やＳＳＤ（Solid  State  Drive）等の記憶装置であって、情報提供サーバ１０の動作に係る各種プログラムや設定情報を記憶する。また、記憶部１１は、走行状況ＤＢ１１１と、サービス情報ＤＢ１１２と、利用履歴ＤＢ１１３とを保持している。
【００１２】
走行状況ＤＢ１１１は、車両の走行状況を管理するためのデータベースであって、各車両の車載端末２０から送信される走行状況が、車載端末２０を識別するための車載端末識別情報と関連付けて登録される。なお、車載端末識別情報には、例えば、後述する狭域通信部２４又は端末間通信部２５のＭＡＣアドレスや、車載端末２０の製造番号等を用いることができる。
【００１３】
図２は、走行状況ＤＢ１１１のデータ構成の一例を示す図である。同図に示すように、走行状況ＤＢ１１１は、「取得日時」と、「車載端末識別情報」と、「走行状況」とをデータ項目として有している。ここで、「取得日時」には、走行状態が取得された日時を表す日時情報が登録される。また、「車載端末識別情報」には、車載端末２０の車載端末識別情報が登録される。また、「走行状況」には、走行位置や走行速度等、車両の走行状況に関する情報が登録される。
【００１４】
サービス情報ＤＢ１１２は、サービス情報を管理するためのデータベースである。ここで、サービス情報とは、所定のサービス（特典）を利用するための情報であって、図３に示すように、「管理番号」、「サービス内容」、「利用条件」等のデータ項目で構成される。なお、図３は、サービス情報ＤＢ１１２のデータ構成の一例を示す図である。
【００１５】
ここで、「管理番号」は、サービス情報を管理するための識別情報であって、固有の数値が登録されている。なお、各サービス情報を識別可能なサービス名等を用いる形態としてもよい。また、「サービス内容」には、提供されるサービスの内容を表す情報が登録されている。また、「利用条件」には、サービスの提供元に関する情報（例えば店舗名等）や、サービスを利用可能な期間、サービスの利用回数等の、サービスの利用に係る条件が登録されている。
【００１６】
利用履歴ＤＢ１１３は、サービスの利用履歴を管理するためのデータベースであって、各車両の車載端末２０から送信されるサービスの利用履歴が、その車載端末２０の車載端末識別情報と関連付けて登録される。
【００１７】
図４は、利用履歴ＤＢ１１３のデータ構成の一例を示す図である。同図に示すように、利用履歴ＤＢ１１３は、「管理番号」及び「利用日時」で構成される利用履歴情報と、「車載端末識別情報」とをデータ項目として有している。ここで、「管理番号」には、利用されたサービス情報の管理番号が登録される。また、「利用日時」には、利用日時を表す日時情報が登録される。また、「車載端末識別情報」には、利用されたサービス情報の提供先となった車載端末２０の車載端末識別情報が登録される。
【００１８】
図１に戻り、情報提供サーバ１０の入力部１２は、キーボードやポインティングデバイス等の入力デバイスであって、操作者から受け付けた入力内容を制御部１４に出力する。通信部１３は、ネットワークＮに接続可能な通信装置であって、ネットワークＮに接続された路側機５０を通じて、当該路側機５０の近傍を走行する車両の車載端末２０との間でＤＳＲＣ等の狭域通信を行う。なお、路側機５０は、狭域通信用のアンテナ等を有し、高速道路や車道、サービスエリア等の所定の各位置に予め設置されているものとする。
【００１９】
制御部１４は、ＣＰＵ（Central  Processing  Unit）、ＲＯＭ（Read  Only  Memory）、ＲＡＭ（Random  Access  Memory）及びＲＴＣ（Real  Time  Clock）等のコンピュータ構成を備えている（何れも図示せず）。制御部１４のＣＰＵは、ＲＯＭや記憶部１１に記憶された各種プログラムを実行することで、情報提供サーバ１０の動作を統括的に制御する。また、制御部１４のＣＰＵは、ＲＯＭや記憶部１１に記憶された各種プログラムを実行することで、図５に示す各機能部を実現させる。
【００２０】
ここで、図５は、情報提供サーバ１０の機能構成の一例を示す図である。同図に示すように、情報提供サーバ１０は、走行状況取得部１０１、交通情報提供部１０２、サービス情報提供部１０３及び利用履歴管理部１０４を、機能部として備える。
【００２１】
走行状況取得部１０１は、各車両の車載端末２０から当該車両の走行状況を、路側機５０を通じて取得する。また、走行状況取得部１０１は、取得した走行状況を、取得元である車載端末２０の車載端末識別情報と、現在の日時を表す日時情報と関連付けて、走行状況ＤＢ１１１に登録する。
【００２２】
例えば、車載端末２０から当該車載端末２０が搭載された車両の走行位置や速度等が、路側機５０を通じて情報提供サーバ１０に送信される場合、走行状況取得部１０１は、これらの情報を走行状況として取得する。なお、路側機５０と車載端末２０との間の通信の狭域性に基づき、路側機５０の設置位置から車両の走行位置を特定し、この走行位置を走行状況として取得する形態としてもよい。
【００２３】
交通情報提供部１０２は、路側機５０を通じて、当該路側機５０の周辺を走行する車両の車載端末２０に交通情報を送信することで、各車両に交通情報を提供する。提供する交通情報としては、渋滞予測や、渋滞の緩和を促すための情報、安全運転を促すための情報等が挙げられる。また、走行状況ＤＢ１１１に格納された各車両の走行状況に基づき、各車両の走行位置等に応じた交通情報を提供する形態としてもよい。なお、交通情報の提供方法は特に問わず、プローブ情報システム等の公知の技術を用いるものとする。
【００２４】
サービス情報提供部１０３は、路側機５０を通じて、当該路側機５０の周辺を走行する車両の車載端末２０に、サービス情報ＤＢ１１２に格納された何れかのサービス情報を送信することで、各車両にサービス情報を提供する。
【００２５】
ここで、サービス情報の提供対象となる車両は、特に問わないものとするが、走行状況ＤＢ１１１に格納された各車両（車載端末識別情報）の走行状況に基づいて、サービス情報の提供対象となる車両を制限する形態としてもよい。例えば、各車両の走行状況から、特定の道路を走行した車両や、渋滞の緩和に繋がる走行をした車両等を抽出し、当該車両の車載端末２０に対し、サービス情報を提供する形態としてもよい。なお、本実施形態では、特定の車載端末２０にサービス情報を提供する場合、当該車載端末２０の車載端末識別情報をサービス情報とともに送信することで、このサービス情報を受信可能な車載端末２０を制限するものとするが、これに、公知のユニキャスト技術等を用いてもよい。
【００２６】
また、利用履歴ＤＢ１１３に格納されたサービス情報の利用頻度に基づき、提供するサービス情報を選定する形態としてもよい。例えば、利用履歴ＤＢ１１３から、各サービス情報の利用頻度を車載端末識別情報毎に導出し、利用頻度が所定値以上となるサービス情報を選定してもよい。
【００２７】
さらに、車載端末識別情報や走行状況等から、車両種別を特定することができる場合、当該車両種別に応じて、提供するサービス情報やサービス内容を切り替えてもよい。例えば、車両種別がハイブリッドカーや電気自動車の場合には、環境保全に対するインセンティブとして、サービス利用期間の延長や利用回数を加算したもの等、通常の自動車に提供するサービス内容とは異なるサービス情報を提供する形態としてもよい。
【００２８】
利用履歴管理部１０４は、車載端末２０から送信されたサービス情報の利用履歴を表す利用履歴情報を、路側機５０を通じて取得し、当該車載端末２０の車載端末識別情報と関連付けて利用履歴ＤＢ１１３に登録する。
【００２９】
図１に戻り、車載端末２０は、自動車等の車両に搭載される情報通信端末であって、路側等に設置された路側機５０を通じて、情報提供サーバ１０との間で各種の情報を送受信する。また、車載端末２０は、可搬型端末３０との間で各種の情報を送受信する。
【００３０】
車載端末２０は、図１に示すように、記憶部２１と、入力部２２と、表示部２３と、狭域通信部２４と、端末間通信部２５と、制御部２６とを備える。
【００３１】
記憶部２１は、ＨＤＤやＳＳＤ等の記憶装置であって、車載端末２０の動作に係る各種プログラムや設定情報を記憶している。また、記憶部２１は、第１サービス情報記憶部２１１と、第１利用履歴記憶部２１２とを保持している。
【００３２】
第１サービス情報記憶部２１１は、サービス情報を保持するためのデータ領域である。第１サービス情報記憶部２１１には、情報提供サーバ１０から提供されたサービス情報が登録される。
【００３３】
図６は、第１サービス情報記憶部２１１のデータ構成の一例を示す図である。同図に示すように、第１サービス情報記憶部２１１は、「サービス情報」と、「可搬型端末識別情報」とをデータ項目として有している。ここで、「サービス情報」は、「管理番号」、「サービス内容」及び「利用条件」のデータ項目を有する。この「サービス情報」には、情報提供サーバ１０から提供されたサービス情報が登録される。また、「可搬型端末識別情報」には、サービス情報の利用権の移動先となる可搬型端末３０を識別するための可搬型端末識別情報が登録される。なお、可搬型端末識別情報には、例えば、後述する端末間通信部３４のＭＡＣアドレスや、可搬型端末３０の製造番号等を用いることができる。
【００３４】
第１利用履歴記憶部２１２は、サービス情報の利用履歴を保持するためのデータ領域である。第１利用履歴記憶部２１２には、自己の車載端末２０でのサービス情報の利用履歴や、可搬型端末３０でのサービス情報の利用履歴が登録される。
【００３５】
図７は、第１利用履歴記憶部２１２のデータ構成の一例を示す図である。同図に示すように、第１利用履歴記憶部２１２は、「管理番号」及び「利用日時」をデータ項目として有し、これらのデータ項目により利用履歴情報が構成される。ここで、「管理番号」には、利用されたサービス情報の管理番号が登録される。また、「利用日時」には、利用日時を表す日時情報が登録される。
【００３６】
図１に戻り、車載端末２０の入力部２２は、操作キーやポインティングデバイス等の入力デバイスであって、操作者から受け付けた操作内容を制御部２６に出力する。表示部２３は、ＬＣＤ（Liquid  Crystal  Display）等の表示装置により構成され、制御部２６の制御に従い各種の情報を表示する。
【００３７】
狭域通信部２４は、ＤＳＲＣ等の狭域通信を行うための通信装置であって、路側機５０を通じて、情報提供サーバ１０との間で各種情報の送受信を行う。なお、狭域通信部２４は、車載端末２０との通信時に、自己の車載端末２０の車載端末識別情報を送信するものとする。
【００３８】
端末間通信部２５は、狭域通信部２４とは異なる通信方式（例えば、Ｂｌｕｅｔｏｏｔｈ（登録商標）やＺｉｇｂｅｅ（登録商標）、Ｗｉ−Ｆｉ等）を用いて通信を行う通信装置であって、可搬型端末３０との間で各種情報の送受信を行う。ここで、車載端末２０と可搬型端末３０との間の通信は、無線通信に限らず、有線通信であってもよい。なお、端末間通信部２５は、可搬型端末３０との通信時に、自己の車載端末２０の車載端末識別情報を送信するものとする。
【００３９】
制御部２６は、ＣＰＵ、ＲＯＭ、ＲＡＭ及びＲＴＣ等のコンピュータ構成を備えている（何れも図示せず）。制御部２６のＣＰＵは、ＲＯＭや記憶部２１に記憶された各種プログラムを実行することで、車載端末２０の動作を統括的に制御する。また、制御部２６のＣＰＵは、ＲＯＭや記憶部２１に記憶された各種プログラムを実行することで、図８に示す各機能部を実現させる。
【００４０】
ここで、図８は、車載端末２０の機能構成の一例を示す図である。同図に示すように、車載端末２０は、走行状況通知部２０１、交通情報取得部２０２、サービス情報取得部２０３、認証処理部２０４、第１サービス情報管理部２０５及び第１利用履歴通知部２０６を、機能部として備える。
【００４１】
走行状況通知部２０１は、路側機５０を通じて、自己の車載端末２０が搭載された車両の走行状況を情報提供サーバ１０に通知する。ここで、走行状況通知部２０１は、車載端末２０又は車両に搭載された、ＧＰＳ（Global  Positioning  System）やカーナビゲーションシステム、速度計等（何れも図示せず）と協働することで車両の走行位置や走行速度を取得し、走行状況として情報提供サーバ１０に通知する。
【００４２】
交通情報取得部２０２は、路側機５０を通じて、情報提供サーバ１０から提供される交通情報を取得する。また、交通情報取得部２０２は、取得した交通情報に基づき、当該交通情報に応じた情報を表示部２３に表示させたり、図示しない音声出力装置を用いて音声出力させたりすることで、ドライバーに交通情報を提示する。
【００４３】
サービス情報取得部２０３は、路側機５０を通じて、情報提供サーバ１０から提供されるサービス情報を取得する。
【００４４】
認証処理部２０４は、入力部２２又は端末間通信部２５を介して認証要求を受け付けると、記憶部２１等に予め記憶された正規の可搬型端末３０の可搬型識別情報（以下、認証情報という）と、端末間通信部２５にアクセスした可搬型端末３０の可搬型端末識別情報とを照合することで、アクセス元の可搬型端末３０の正当性を判定する。
【００４５】
第１サービス情報管理部２０５は、情報提供サーバ１０から提供されたサービス情報を管理する。具体的に、第１サービス情報管理部２０５は、サービス情報取得部２０３が取得したサービス情報を、第１サービス情報記憶部２１１に登録する。また、第１サービス情報管理部２０５は、車載端末２０においてサービス情報が利用された場合に、このサービス情報に含まれた管理番号と、利用日時を示す日時情報とを関連付けた利用履歴情報を、第１利用履歴記憶部２１２に登録する。
【００４６】
また、第１サービス情報管理部２０５は、第１サービス情報記憶部２１１に記憶されたサービス情報のうち、特定のサービス情報の利用権の移動要求（利用権移動要求）を入力部２２又は端末間通信部２５を介して受け付けると、この指定されたサービス情報の利用権を、認証処理部２０４で正当性が確認された可搬型端末３０に移動させる。具体的に、第１サービス情報管理部２０５は、利用権移動要求で指定されたサービス情報を第１サービス情報記憶部２１１から読み出し、端末間通信部２５を介して可搬型端末３０に送信する。また、第１サービス情報管理部２０５は、指定されたサービス情報に関連する第１サービス情報記憶部２１１のデータ項目「可搬型端末識別情報」の欄に、利用権移動要求を送信した可搬型端末３０の可搬型端末識別情報を登録する。
【００４７】
なお、データ項目「可搬型端末識別情報」の欄に可搬型端末識別情報が登録されたサービス情報については、自己の車載端末２０で利用できないよう排他制御を行うものとする。また、第１サービス情報管理部２０５は、利用権移動要求を受け付けた際に、第１サービス情報記憶部２１１に登録されたサービス情報の一覧を表示部２３に表示させることで、利用権の移動対象となるサービス情報をユーザに選択させる形態としてもよい。
【００４８】
また、第１サービス情報管理部２０５は、認証処理部２０４で正当性が確認された可搬型端末３０から、移動の対象となったサービス情報に係る利用履歴情報を取得すると、この利用履歴情報を、第１利用履歴記憶部２１２に登録する。
【００４９】
第１利用履歴通知部２０６は、路側機５０を通じて、第１利用履歴記憶部２１２に登録された利用履歴情報を情報提供サーバ１０に送信（通知）する。また、第１利用履歴通知部２０６は、利用履歴情報を送信したサービス情報の可搬型端末識別情報と、このサービス情報に関連付けて第１サービス情報記憶部２１１に登録された可搬型端末識別情報との同一性を判定し、同一性が確認された場合に、利用により失効したサービス情報に係るエントリを、第１サービス情報記憶部２１１から削除する。
【００５０】
図１に戻り、可搬型端末３０は、車両のドライバーが携帯する携帯電話機やスマートフォン、ノートＰＣ等、可搬型の情報通信端末である。図１に示すように、可搬型端末３０は、記憶部３１と、入力部３２と、表示部３３と、端末間通信部３４と、制御部３５とを備える。
【００５１】
記憶部３１は、ＨＤＤやＳＳＤ等の記憶装置であって、可搬型端末３０の動作に係る各種プログラムや設定情報を記憶している。また、記憶部３１は、第２サービス情報記憶部３１１と、第２利用履歴記憶部３１２とを保持している。
【００５２】
第２サービス情報記憶部３１１は、サービス情報を保持するためのデータ領域である。第２サービス情報記憶部３１１には、車載端末２０から利用権が移動されたサービス情報が登録される。
【００５３】
図９は、第２サービス情報記憶部３１１のデータ構成の一例を示す図である。同図に示すように、第２サービス情報記憶部３１１は、「サービス情報」と、「車載端末識別情報」とをデータ項目として有している。ここで、「サービス情報」は、「管理番号」、「サービス内容」及び「利用条件」のデータ項目を有する。この「サービス情報」には、車載端末２０から利用権が移動されたサービス情報が登録される。また、「車載端末識別情報」には、サービス情報の利用権の移動元となる車載端末２０の車載端末識別情報が登録される。
【００５４】
第２利用履歴記憶部３１２は、サービス情報の利用履歴を保持するためのデータ領域である。第２利用履歴記憶部３１２には、自己の可搬型端末３０でのサービス情報の利用履歴が登録される。なお、第２利用履歴記憶部３１２のデータ構成は、図７に示した第１利用履歴記憶部２１２と同様である。
【００５５】
図１に戻り、可搬型端末３０の入力部３２は、操作キーやポインティングデバイス等の入力デバイスであって、操作者から受け付けた操作内容を制御部３５に出力する。表示部３３は、ＬＣＤ（Liquid  Crystal  Display）等の表示装置により構成され、制御部３５の制御に従い各種の情報を表示する。
【００５６】
端末間通信部３４は、例えば、Ｂｌｕｅｔｏｏｔｈ（登録商標）やＺｉｇｂｅｅ（登録商標）、Ｗｉ−Ｆｉ等の通信を行うことが可能な通信装置であって、車載端末２０や店舗端末４０との間で各種情報の送受信を行う。なお、端末間通信部３４は、車載端末２０や店舗端末４０との通信時に、自己の可搬型端末３０の可搬型端末識別情報を送信するものとする。
【００５７】
制御部３５は、ＣＰＵ、ＲＯＭ、ＲＡＭ及びＲＴＣ等のコンピュータ構成を備えている（何れも図示せず）。制御部３５のＣＰＵは、ＲＯＭや記憶部３１に記憶された各種プログラムを実行することで、可搬型端末３０の動作を統括的に制御する。また、制御部３５のＣＰＵは、ＲＯＭや記憶部３１に記憶された各種プログラムを実行することで、図１０に示す各機能部を実現させる。
【００５８】
ここで、図１０は、可搬型端末３０の機能構成の一例を示す図である。同図に示すように、可搬型端末３０は、認証要求部３０１、サービス利用権取得部３０２、第２サービス情報管理部３０３及び第２利用履歴通知部３０４を、機能部として備える。
【００５９】
認証要求部３０１は、入力部３２に対する操作内容に応じて、自己の可搬型端末３０の正当性確認を要求する認証要求を、端末間通信部３４を介して車載端末２０に送信する。なお、本実施形態では、この認証要求とともに送信される可搬型端末識別情報を用いて、正当性の確認が行われるものとするが、これに限らず、入力部３２を介して入力されるパスワード等の情報を用いる形態としてもよい。
【００６０】
サービス利用権取得部３０２は、入力部３２に対する操作内容に応じて、サービス情報の利用権の移動を要求する利用権移動要求を可搬型端末３０に送信する。また、サービス利用権取得部３０２は、端末間通信部３４を介して、利用権の移動対象となったサービス情報を車載端末２０から取得する。
【００６１】
第２サービス情報管理部３０３は、車載端末２０から利用権が移動されたサービス情報を管理する。具体的に、第２サービス情報管理部３０３は、サービス利用権取得部３０２が車載端末２０から取得したサービス情報を、この車載端末２０の車載端末識別情報と関連付けて、第２サービス情報記憶部３１１に登録する。これにより、サービス情報の利用権が車載端末２０から可搬型端末３０に移動する。
【００６２】
また、第２サービス情報管理部３０３は、端末間通信部３４を介して、利用の対象となるサービス情報を含んだ利用要求を店舗端末４０に送信する。また、第２利用履歴通知部３０４は、店舗端末４０からサービス情報の利用が完了したことが通知されると、このサービス情報に含まれた管理番号と、現在日時を示す日時情報とを関連付けた利用履歴情報を、第２利用履歴記憶部３１２に登録する。
【００６３】
第２利用履歴通知部３０４は、端末間通信部３４を介して、第２利用履歴記憶部３１２に登録された利用履歴情報を車載端末２０に送信（通知）する。また、第２利用履歴通知部３０４は、利用により失効したサービス情報に係るエントリを、第１サービス情報記憶部２１１から削除する。
【００６４】
店舗端末４０は、サービスを提供する店舗に設置されるＰＯＳ（Point  Of  Sale）端末やＰＣ等の情報通信端末である。店舗端末４０は、図１に示すように、記憶部４１と、入力部４２と、表示部４３と、端末間通信部４４と、制御部４５とを備える。
【００６５】
記憶部４１は、ＨＤＤやＳＳＤ等の記憶装置であって、店舗端末４０の動作に係る各種プログラムや設定情報を記憶する。
【００６６】
入力部４２は、操作キーやポインティングデバイス等の入力デバイスであって、操作者から受け付けた操作内容を制御部４５に出力する。表示部４３は、ＬＣＤ（Liquid  Crystal  Display）等の表示装置により構成され、制御部４５の制御に従い各種の情報を表示する。
【００６７】
端末間通信部４４は、例えば、Ｂｌｕｅｔｏｏｔｈ（登録商標）やＺｉｇｂｅｅ（登録商標）、Ｗｉ−Ｆｉ等の通信を行うことが可能な通信装置であって、可搬型端末３０との間で各種情報の送受信を行う。
【００６８】
制御部４５は、ＣＰＵ、ＲＯＭ、ＲＡＭ及びＲＴＣ等のコンピュータ構成を備えている（何れも図示せず）。制御部４５のＣＰＵは、ＲＯＭや記憶部４１に記憶された各種プログラムを実行することで、店舗端末４０の動作を統括的に制御する。また、制御部４５のＣＰＵは、ＲＯＭや記憶部４１に記憶された各種プログラムを実行することで、図１１に示す各機能部を実現させる。
【００６９】
ここで、図１１は、店舗端末４０の機能構成の一例を示す図である。同図に示すように、店舗端末４０は、利用条件判定部４０１及びサービス提供部４０２を、機能部として備える。
【００７０】
利用条件判定部４０１は、端末間通信部４４を介して、可搬型端末３０からサービス情報の利用要求を受け付けると、この利用要求に係る条件が、サービス情報に含まれた利用条件を充足しているか否か判定する。例えば、利用条件判定部４０１は、利用条件に示されたサービス提供元の店舗が、自己の店舗端末４０が設置された店舗と一致するか否かを判定する。また、利用条件判定部４０１は、利用条件に示された利用可能な期間と、現在日時とを比較し、現在日時が利用可能な期間に含まれるか否かを判定する。
【００７１】
サービス提供部４０２は、利用条件判定部４０１で利用条件を満たすと判定されたサービス情報に基づき、当該サービス情報に含まれたサービス内容に応じた処理を実行することで、可搬型端末３０のユーザにサービスを提供する。例えば、サービス内容が、物品購入等に係る金額の値引きを示すものである場合、サービス提供部４０２は、店舗端末４０又は他の装置が有する精算機能により精算された購入金額から、サービス内容に応じた金額を値引きすることで、可搬型端末３０のユーザに値引きサービスを提供する。
【００７２】
また、サービス提供部４０２は、サービス内容に応じた処理が完了すると、端末間通信部４４を介して、サービス情報の利用完了を指示する情報を可搬型端末３０に送信（通知）する。
【００７３】
以下、構成の情報提供システム１の動作について説明する。まず、図１２及び図１３を参照して、情報提供サーバ１０と車載端末２０との間で行われる、サービス情報の授受に係る動作について説明する。
【００７４】
ここで、図１２は、情報提供サーバ１０及び車載端末２０で行われる、サービス情報提供処理の一例を示すフローチャートである。なお、本処理の前提として、情報提供サーバ１０から車載端末２０に交通情報が送信されているものとする。
【００７５】
車載端末２０の走行状況通知部２０１は、自己の車載端末２０が搭載された車両の走行状況を、路側機５０を通じて情報提供サーバ１０に送信する（ステップＳ１１）。
【００７６】
一方、情報提供サーバ１０の走行状況取得部１０１では、車載端末２０から送信された走行状況を、通信部１３を介して取得すると（ステップＳ２１）、この走行状況とともに車載端末２０から送信された車載端末識別情報と、現在日時を表す日時情報と関連付けて、記憶部１１の走行状況ＤＢ１１１に登録する（ステップＳ２２）。続いて、サービス情報提供部１０３は、走行状況ＤＢ１１１及び利用履歴ＤＢ１１３に登録された各車両（車載端末識別情報）の走行状況やサービス情報の利用履歴に基づき、提供対象となるサービス情報を選定するサービス情報選定処理を実行する（ステップＳ２３）。
【００７７】
ここで、図１３は、ステップＳ２３のサービス情報選定処理の一例を示すフローチャートである。まず、サービス情報提供部１０３は、走行状況ＤＢ１１１に登録された各車両（車載端末識別情報）の走行状況と、サービス情報の提供に係る所定の条件（提供条件）とを比較し（ステップＳ２３１）、当該提供条件を満たす車両が存在するか否かを判定する（ステップＳ２３２）。ここで、提供条件は、特に問わず、例えば、特定の道路や経路を走行する車両としてもよい。また、各車両（車載端末識別情報）の走行状況から導出される事象や、各車両に提供した交通情報に基づき、渋滞中の道路を迂回等することで渋滞の緩和に繋がる走行をした車両や、交通情報に従って走行する車両等を、提供条件としてもよい。
【００７８】
ステップＳ２３２において、提供条件を満たす車両が存在しないと判定した場合には（ステップＳ２３２；Ｎｏ）、処理を終了する。また、ステップＳ２３２において、提供条件を満たす車両が存在すると判定した場合（ステップＳ２３２；Ｙｅｓ）、サービス情報提供部１０３は、提供条件を満たした車両の車載端末識別情報を、走行状況ＤＢ１１１から抽出する（ステップＳ２３３）。
【００７９】
続いて、サービス情報提供部１０３は、利用履歴ＤＢ１１３を参照し、ステップＳ２３３で抽出した車載端末識別情報の各々に関連付けて登録された各サービス情報（管理番号）の利用履歴に基づき、提供するサービス情報をサービス情報ＤＢ１１２から選定し（ステップＳ２３４）、図１２のステップＳ２４に移行する。
【００８０】
ここで、サービス情報の選定方法は特に問わず、例えば、サービス情報ＤＢ１１２に登録されたサービス情報のうち、利用頻度が最も高いサービス情報を選定してもよいし、過去に提供されたことのないサービス情報を選定してもよい。なお、提供条件と、提供対象のサービス情報とが１対１で対応付けられている場合には、利用履歴によらず、予め定められたサービス情報を選定する形態としてもよい。
【００８１】
また、サービス情報の選定方法は上記の例に限らず、種々の形態を採用することが可能である。例えば、車載端末識別情報や走行状況等から車両の車種を特定することができる場合、車両の車種に応じて提供するサービス情報やサービス内容を切り替える形態としてもよい。
【００８２】
図１２に戻り、サービス情報提供部１０３は、ステップＳ２３で選定されたサービス情報を、対応する車両の車載端末２０に提供するため、当該車載端末２０の車載端末識別情報とサービス情報とを組とし、路側機５０を通じて車載端末２０へ送信する（ステップＳ２４）。
【００８３】
車両側では、路側機５０の近傍を走行すると、車載端末２０のサービス情報取得部２０３が、自己の車載端末２０の車載端末識別情報と組とされたサービス情報を、路側機５０を通じて取得する（ステップＳ１２）。そして、第１サービス情報管理部２０５は、ステップＳ１２で取得されたサービス情報を、記憶部２１の第１サービス情報記憶部２１１に登録し（ステップＳ１３）、処理を終了する。
【００８４】
上記サービス情報提供処理により、過去に提供されたサービス情報の利用履歴や、各車両の走行状況、車両種別に応じたサービス情報が、情報提供サーバ１０から車載端末２０に提供される。これにより、各ユーザに適したサービス情報を提供することができるため、サービス情報の利用に係るユーザの利便性を向上させることができる。
【００８５】
次に、図１４及び図１５を参照して、車載端末２０と可搬型端末３０との間で行われる、サービス情報の利用権の移動に係る動作について説明する。ここで、図１４は、車載端末２０と可搬型端末３０とで行われる、利用権移動処理の手順を示すフローチャートである。
【００８６】
まず、可搬型端末３０の認証要求部３０１は、入力部３２に対する操作内容に応じて、認証要求を車載端末２０に送信する（ステップＳ３１）。
【００８７】
車載端末２０の認証処理部２０４は、可搬型端末３０から認証要求を受け付けると、この認証要求とともに送信された可搬型端末３０の可搬型端末識別情報と、予め記憶された正規の可搬型端末３０の認証情報とを比較（照合）する（ステップＳ４１）。この照合の結果、可搬型端末識別情報と認証情報とが不一致と判定した場合（ステップＳ４２；Ｎｏ）、認証処理部２０４は、アクセス不可を示す応答情報を、認証要求を送信した可搬型端末３０に送信し（ステップＳ４３）、処理を終了する。
【００８８】
ステップＳ４１の照合の結果、可搬型端末識別情報と認証情報とが一致と判定した場合（ステップＳ４２；Ｙｅｓ）、認証処理部２０４は、アクセス許可を示す応答情報を、認証要求を送信した可搬型端末３０に送信し（ステップＳ４４）、ステップＳ４５に移行する。
【００８９】
一方、可搬型端末３０の認証要求部３０１は、認証要求の送信後、当該認証要求に対する応答を待機し、係る応答情報を受け付けると、その内容がアクセス許可を示すものか否を判定する（ステップＳ３２）。ここで、応答情報がアクセス不可を示す場合（ステップＳ３２；Ｎｏ）、認証要求部３０１は、アクセスが拒否された旨を表示部３３に表示させた後（ステップＳ３３）、処理を終了する。
【００９０】
また、応答情報がアクセス許可を示す場合（ステップＳ３２；Ｙｅｓ）、サービス利用権取得部３０２は、入力部３２に対する操作内容に応じて、利用権移動要求を車載端末２０に送信する（ステップＳ３４）。
【００９１】
車載端末２０の第１サービス情報管理部２０５は、可搬型端末３０から利用権移動要求を受け付けると、第１サービス情報記憶部２１１に登録されているサービス情報を読み出し、表示部２３に選択可能に一覧表示させる（ステップＳ４５）。
【００９２】
ここで、図１５は、ステップＳ４５で表示部２３に表示された、選択画面の一例を示す図である。ここで、選択画面Ａ１の領域Ａ１１は、選択候補となるサービス情報が表示される領域であって、第１サービス情報記憶部２１１に登録されているサービス情報が一覧表示される。ここで、領域Ａ１１に表示されたサービス情報の各々は選択可能に構成されており、車載端末２０のユーザから何れかのサービス情報が入力部２２を介して選択されると、この選択されたサービス情報が移動対象として制御部２６に通知される。
【００９３】
図１４に戻り、車載端末２０の第１サービス情報管理部２０５は、サービス情報の選択を受け付けると、この選択されたサービス情報を、利用権移動要求を送信した可搬型端末３０に送信する（ステップＳ４６）。また、第１サービス情報管理部２０５は、選択されたサービス情報に関連付けて、利用権移動要求を送信した可搬型端末３０の可搬型端末識別情報を、第１サービス情報記憶部２１１に登録することで（ステップＳ４７）、当該サービス情報の利用権を可搬型端末３０に移動する。
【００９４】
なお、本実施形態では、車載端末２０の表示部２３に選択画面を表示させる形態としたが、これに限らず、車載端末２０から可搬型端末３０にサービス情報の一覧を送信することで、可搬型端末３０の表示部３３に表示させる形態としてもよい。
【００９５】
また、本実施形態では、サービス情報を一覧表示する形態としたが、これに限らず、サービス情報に可搬型端末識別情報が関連付けて登録されている場合には、この可搬型端末識別情報を含めて選択画面に表示する形態としてもよい。この形態を採用することで、サービス情報と、そのサービス情報の利用権の移動先（可搬型端末識別情報）とを容易に確認することができるため、ユーザの利便性を図ることができる。なお、可搬型端末識別情報が関連付けて登録されたサービス情報については、移動対象から除外されるよう選択機能を無効化することが好ましい。
【００９６】
一方、可搬型端末３０では、サービス利用権取得部３０２が、ステップＳ４６で車載端末２０から送信されたサービス情報を取得する（ステップＳ３５）。続いて、第２サービス情報管理部３０３は、ステップＳ３５で取得されたサービス情報を、当該サービス情報とともに送信された車載端末２０の車載端末識別情報と関連付け、第２サービス情報記憶部３１１に登録し（ステップＳ３６）、処理を終了する。
【００９７】
このように、上記利用権移動処理により、車載端末２０に提供されたサービス情報の利用権が可搬型端末３０に移動されるため、当該サービス情報を可搬型端末３０で利用することが可能となる。また、車載端末２０において、当該車載端末２０にアクセスした可搬型端末３０の認証を行うことで、正規の可搬型端末３０以外にサービス情報の利用権が移動してしまうことを防止することができる。なお、本実施形態では、可搬型端末３０の認証を行う形態としたが、これに限らず、ステップＳ４１〜Ｓ４４（ステップＳ３１〜Ｓ３３）をスキップすることで、認証処理を省略する形態としてもよい。
【００９８】
次に、図１５及び図１６を参照して、可搬型端末３０と店舗端末４０との間で行われるサービス情報の利用に係る動作について説明する。ここで、図１６は、可搬型端末３０と店舗端末４０とで行われる、サービス利用処理の一例を示すフローチャートである。
【００９９】
まず、可搬型端末３０の第２サービス情報管理部３０３は、第２サービス情報記憶部３１１に登録されているサービス情報を読み出し、表示部３３に選択可能に一覧表示させる（ステップＳ５１）。
【０１００】
ここで、ステップＳ５１で表示される選択画面は図１５と同様であり、表示部３３に表示されたサービス情報の一覧から、可搬型端末３０のユーザから何れかのサービス情報が入力部３２を介して選択されると、この選択されたサービス情報が利用対象として制御部３５に通知される。
【０１０１】
なお、本実施形態では、可搬型端末３０の表示部３３に選択画面を表示させる形態としたが、これに限らず、可搬型端末３０から店舗端末４０にサービス情報の一覧を送信することで、店舗端末４０の表示部４３に表示させる形態としてもよい。
【０１０２】
また、本実施形態では、サービス情報を一覧表示する形態としたが、これに限らず、サービス情報に車載端末識別情報が関連付けて登録されている場合には、この車載端末識別情報を含めて選択画面に表示する形態としてもよい。この形態を採用することで、サービス情報と、そのサービス情報の利用権の移動元（車載端末識別情報）とを容易に確認することができるため、ユーザの利便性を図ることができる。
【０１０３】
可搬型端末３０の第２サービス情報管理部３０３は、サービス情報の選択を受け付けると、この選択されたサービス情報を含んだ利用要求を店舗端末４０に送信する（ステップＳ５２）。
【０１０４】
一方、店舗端末４０の利用条件判定部４０１は、可搬型端末３０から送信された利用要求を受け付けると、この利用要求に係る条件が、サービス情報に含まれた利用条件を充足しているか否か判定する（ステップＳ６１）。ここで、利用条件を満たさないと判定した場合（ステップＳ６１；Ｎｏ）、利用条件判定部４０１は、利用不可を示す旨を表示部４３に表示させる（ステップＳ６２）。そして、利用条件判定部４０１は、利用不可を示す応答情報を、利用要求を送信した可搬型端末３０に送信した後（ステップＳ６３）、処理を終了する。
【０１０５】
また、ステップＳ６１において、利用条件判定部４０１により利用条件を満たすと判定された場合（ステップＳ６１；Ｙｅｓ）、サービス提供部４０２は、サービス情報に含まれたサービス内容に応じた処理を実行することで、値引き等のサービスを提供する（ステップＳ６４）。そして、サービス提供部４０２は、利用完了を示す応答情報を、利用要求を送信した可搬型端末３０に送信し（ステップＳ６６）、処理を終了する。
【０１０６】
可搬型端末３０の第２サービス情報管理部３０３は、利用要求の送信後、当該利用要求に対する応答を待機し、係る応答情報を受け付けると、その内容が利用完了を示すものか否かを判定する（ステップＳ５３）。ここで、応答情報が利用不可を示す場合（ステップＳ５３；Ｎｏ）、第２サービス情報管理部３０３は、選択されたサービス情報が利用不可の旨を表示部３３に表示させ（ステップＳ５４）、処理を終了する。
【０１０７】
また、ステップＳ５３において、応答情報が利用完了を示すものであった場合（ステップＳ５３；Ｙｅｓ）、第２サービス情報管理部３０３は、利用対象となったサービス情報に含まれる管理番号と、現在の日時を表す日時情報とを関連付けた利用履歴情報を、第２利用履歴記憶部３１２に登録する（ステップＳ５５）。そして、第２サービス情報管理部３０３は、利用の対象となったサービス情報に係るエントリを第２サービス情報記憶部３１１から削除し（ステップＳ５６）、処理を終了する。
【０１０８】
なお、サービス情報に含まれる利用条件に、複数回の利用が可能な旨が示されている場合には、当該サービス情報を利用する毎に、利用回数を一ずつ減算し、残り回数が０になった時点で、このサービス情報に係るエントリの削除を行うものとする。また、所定期間の間、無制限に利用が可能なサービス情報については、当該期間を経過した時点で、このサービス情報に係るエントリの削除を行うものとする。
【０１０９】
上記サービス利用処理により、店舗端末４０に対して利用されたサービス情報の利用履歴が、可搬型端末３０の第２サービス情報記憶部３１１に登録される。なお、上記実施形態では、店舗端末４０においてサービス情報に含まれた利用条件を判定する形態としたが、これに限らず、ステップＳ６１〜Ｓ６３（Ｓ５３、Ｓ５４）をスキップすることで、利用条件の判定を省略する形態としてもよい。
【０１１０】
次に、図１７を参照して、情報提供サーバ１０と、車載端末２０と、可搬型端末３０との間で行われる利用履歴の収集に係る動作について説明する。ここで、図１７は、可搬型端末３０、車載端末２０及び情報提供サーバ１０で行われる、利用履歴収集処理の一例を示すフローチャートである。なお、本処理の前提として、車載端末２０の認証処理部２０４において、可搬型端末３０の正当性は確認済みであるとする。
【０１１１】
まず、可搬型端末３０の第２利用履歴通知部３０４は、車載端末２０との通信確立時等に、第２利用履歴記憶部３１２の状態を確認し、第２利用履歴記憶部３１２に利用履歴情報が登録されている場合には、当該利用履歴情報を車載端末２０に送信する（ステップＳ７１）。
【０１１２】
車載端末２０の第１サービス情報管理部２０５では、可搬型端末３０から送信された利用履歴情報を取得すると（ステップＳ８１）、この利用履歴情報を送信した可搬型端末３０の可搬型端末識別情報と、この利用履歴情報に含まれる管理番号に関連付けて登録された第１サービス情報記憶部２１１の可搬型端末識別情報とを比較し（ステップＳ８２）、両可搬型端末識別情報が一致するか否かを判定する（ステップＳ８３）。
【０１１３】
ステップＳ８３において、両可搬型端末識別情報が不一致と判定した場合（ステップＳ８３；Ｎｏ）、第１サービス情報管理部２０５は、利用履歴の不整合を示す応答情報を可搬型端末３０に送信し（ステップＳ８４）、ステップＳ８８に移行する。また、ステップＳ８３において、両可搬型端末識別情報が一致すると判定した場合（ステップＳ８３；Ｙｅｓ）、第１サービス情報管理部２０５は、利用履歴の整合を示す応答情報を可搬型端末３０に送信し（ステップＳ８５）、ステップＳ８６に移行する。
【０１１４】
可搬型端末３０の第２利用履歴通知部３０４は、利用履歴情報に対する応答を待機し、係る応答情報を受け付けると、その内容が利用履歴の整合を示すものか否かを判定する（ステップＳ７２）。ここで、応答情報が利用履歴の不整合を示すものであった場合（ステップＳ７２；Ｎｏ）、第２利用履歴通知部３０４は、利用履歴の不整合を示すエラー画面を表示部３３に表示させた後（ステップＳ７３）、処理を終了する。また、応答情報が利用履歴の整合を示すものであった場合（ステップＳ７２；Ｙｅｓ）、第２利用履歴通知部３０４は、ステップＳ７１で送信の対象となった利用履歴情報を、第２利用履歴記憶部３１２から削除し（ステップＳ７４）、処理を終了する。
【０１１５】
一方、車載端末２０の第１サービス情報管理部２０５では、ステップＳ８６において、可搬型端末３０から受け付けた利用履歴情報を、第１利用履歴記憶部２１２に登録する（ステップＳ８６）。続いて、第１サービス情報管理部２０５は、第２サービス情報記憶部３１１に登録した利用履歴情報に基づき、利用の対象となったサービス情報に係るエントリを第１サービス情報記憶部２１１から削除する（ステップＳ８７）。
【０１１６】
なお、サービス情報に含まれる利用条件に、複数回の利用が可能な旨が示されている場合には、当該サービス情報を利用する毎に、利用回数を一ずつ減算し、残り回数が０になった時点で、このサービス情報に係るエントリの削除を行うものとする。また、所定期間の間、無制限に利用が可能なサービス情報については、当該期間を経過した時点で、このサービス情報に係るエントリの削除を行うものとする。
【０１１７】
次いで、車載端末２０の第１利用履歴通知部２０６は、路側機５０との通信確立時等に、第１利用履歴記憶部２１２の状態を確認し、第１利用履歴記憶部２１２に利用履歴情報が登録されている場合には、当該利用履歴情報を情報提供サーバ１０に送信する（ステップＳ８８）。次いで、第１利用履歴通知部２０６は、ステップＳ８７で送信の対象となった利用履歴情報を、第１利用履歴記憶部２１２から削除し（ステップＳ８９）、処理を終了する。
【０１１８】
また、情報提供サーバ１０の利用履歴管理部１０４は、車載端末２０から送信された利用履歴情報を取得すると（ステップＳ９１）、この利用履歴情報と、当該利用履歴情報を送信した車載端末２０の車載端末識別情報とを関連付けて、利用履歴ＤＢ１１３に登録し（ステップＳ９２）、処理を終了する。
【０１１９】
上記利用履歴収集処理を実行することで、可搬型端末３０（又は車載端末２０）に保持されたサービス情報の利用履歴が、情報提供サーバ１０の利用履歴ＤＢ１１３に蓄積されることになる。これにより、情報提供サーバ１０のサービス情報提供部１０３は、利用履歴ＤＢ１１３に蓄積された各車両（車載端末２０）の利用履歴情報を用いて、提供するサービス情報を選定することが可能となる。
【０１２０】
以上のように、本実施形態によれば、情報提供サーバ１０から車載端末２０に提供されたサービス情報を可搬型端末３０で利用することができるため、サービス情報を利用するユーザの利便性を向上することができる。また、車載端末２０を介して可搬型端末３０に提供されたサービス情報の利用履歴を、当該車載端末２０へのサービス情報の選定に反映させることができるため、情報提供サーバ１０と、車載端末２０と、可搬型端末３０との間で協調を図ることができる。
【０１２１】
なお、上記実施形態では、サービス情報の利用履歴が、可搬型端末３０から車載端末２０を介して情報提供サーバ１０に送信される構成としたが、これに限らず、サービスを提供した店舗端末４０から情報提供サーバ１０に直接送信される構成としてもよい。以下、この形態について説明する。
【０１２２】
図１８は、図１に示した情報提供システム１の他の構成例を示す図である。図１８に示すように、情報提供システム１Ａの店舗端末４０Ａは、図１に示した構成に加え、サーバ間通信部４６を備えている。ここで、サーバ間通信部４６は、ネットワークＮに接続可能な通信装置であって、ネットワークＮを介して情報提供サーバ１０との間で各種情報の送受信を行う。なお、上記実施形態と同様の構成については、同一の符号を付与し、説明を省略する。
【０１２３】
図１９は、店舗端末４０Ａの機能構成の一例を示す図である。同図に示すように、店舗端末４０Ａは、利用条件判定部４０１及びサービス提供部４０２に加え、第３利用履歴通知部４０３を、機能部として備えている。なお、本構成の前提として、利用対象となったサービス情報と、当該サービス情報に関連付けて登録された車載端末識別情報とが、可搬型端末３０から店舗端末４０に送信されるものとする。
【０１２４】
ここで、第３利用履歴通知部４０３は、可搬型端末３０によってサービス情報が利用される毎に、サービス情報の利用履歴を、サーバ間通信部４６を介して情報提供サーバ１０に送信（通知）する。具体的に、第３利用履歴通知部４０３は、サービス提供部４０２でのサービスの提供に係る処理が完了すると、利用対象となったサービス情報に含まれる管理番号と、このサービス情報とともに可搬型端末３０から送信された車載端末識別情報と、現在の日時を表す日時情報とを関連付け、利用履歴情報として情報提供サーバ１０に送信する。
【０１２５】
情報提供サーバ１０の利用履歴管理部１０４では、店舗端末４０Ａから送信された利用履歴情報に含まれる管理番号、車載端末識別情報及び日時情報の組を、利用履歴ＤＢ１１３に登録する。これにより、情報提供サーバ１０のサービス情報提供部１０３は、利用履歴ＤＢ１１３に蓄積された各車両（車載端末２０）の利用履歴情報を用いて、提供するサービス情報を選定することが可能となる。なお、本構成を用いる場合には、車載端末２０から情報提供サーバ１０への利用履歴情報の送信は不要となる。
【０１２６】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【０１２７】
例えば、上記実施形態では、入力部３２や表示部３３を具備した可搬型の情報通信端末を可搬型端末３０としたが、これに限らず、接触方式や非接触方式のＩＣカード等としてもよい。この場合、車載端末２０の端末間通信部２５及び店舗端末４０の端末間通信部４４として、可搬型端末３０であるＩＣカードと通信可能なＲＦＩＤリーダライタ等の通信装置を用い、利用権の移動対象や利用対象となるサービス情報の表示及び選択を、車載端末２０及び店舗端末４０側で行うものとする。
【０１２８】
また、上記実施形態では、車載端末２０からサービス情報の利用権を移動した場合、この移動先となった可搬型端末３０の可搬型端末識別情報を、第１サービス情報記憶部２１１に保持し、車載端末２０で利用されないよう排他制御を行う形態としたが、これに限らず、可搬型端末３０への送信が完了したサービス情報を、第１サービス情報記憶部２１１から削除することで、車載端末２０で利用されないよう排他制御する形態としてもよい。
【０１２９】
また、上記実施形態では、情報提供サーバ１０から提供されるサービス情報について、その利用権の移動と利用履歴の収集を行うシステムを説明したが、対象となる情報はサービス情報に限らず、他の情報であってもよい。
【０１３０】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【０１３１】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【０１３２】
１、１Ａ  情報提供システム
１０  情報提供サーバ
１０１  走行状況取得部
１０２  交通情報提供部
１０３  サービス情報提供部
１０４  利用履歴管理部
１１１  走行状況ＤＢ
１１２  サービス情報ＤＢ
１１３  利用履歴ＤＢ
２０  車載端末
２０１  走行状況通知部
２０２  交通情報取得部
２０３  サービス情報取得部
２０４  認証処理部
２０５  第１サービス情報管理部
２０６  第１利用履歴通知部
２１１  第１サービス情報記憶部
２１２  第１利用履歴記憶部
３０  可搬型端末
３０１  認証要求部
３０２  サービス利用権取得部
３０３  第２サービス情報管理部
３０４  第２利用履歴通知部
３１１  第２サービス情報記憶部
３１２  第２利用履歴記憶部
４０  店舗端末
４０１  利用条件判定部
４０２  サービス提供部
４０３  第３利用履歴通知部
５０  路側機
Ｎ  ネットワーク
【図１】
2013171318.tif 000003
【図２】
2013171318.tif 000004
【図３】
2013171318.tif 000005
【図４】
2013171318.tif 000006
【図５】
2013171318.tif 000007
【図６】
2013171318.tif 000008
【図７】
2013171318.tif 000009
【図８】
2013171318.tif 000010
【図９】
2013171318.tif 000011
【図１０】
2013171318.tif 000012
【図１１】
2013171318.tif 000013
【図１２】
2013171318.tif 000014
【図１３】
2013171318.tif 000015
【図１４】
2013171318.tif 000016
【図１５】
2013171318.tif 000017
【図１６】
2013171318.tif 000018
【図１７】
2013171318.tif 000019
【図１８】
2013171318.tif 000020
【図１９】
2013171318.tif 000021